(57)【特許請求の範囲】
【請求項１】
車両の室内を照明する車内照明装置において、
前記室内を、色及び明るさが可変な照明光で照明する室内照明と、
前記室内の座席を、点灯色が予め定められており、かつ、明るさが可変な照明光で、座席毎に個別に照明する座席別照明と、
前記座席の乗員の操作により照明モードが指定される照明モード指定部と、
前記照明モード指定部の操作により指定された照明モードで前記室内照明及び前記座席別照明のうちいずれか１つを点灯させる点灯制御部と、
前記照明モード指定部による前記照明モードの指定操作とは異なるトリガ条件の成立に伴い、前記室内照明及び前記座席別照明のうち少なくとも１つを、前記照明モード指定部の操作により指定可能な照明モードを再現するデモンストレーションパターンで一定期間点灯させるデモ点灯制御部と、
を備えることを特徴とする車内照明装置。
【請求項２】
車両の室内を照明する車内照明装置において、
前記室内のルーフライナの左右両側にそれぞれ設けられて、前記室内の最前列の座席よりも後方に位置し、前記室内の２列目及び３列目の座席に亘ってそれぞれ延在して、前記室内を照明する室内照明と、
前記室内の座席を座席毎に個別に照明する座席別照明と、
前記座席の乗員の操作により照明モードが指定される照明モード指定部と、
前記照明モード指定部の操作により指定された照明モードで前記室内照明及び前記座席別照明のうちいずれか１つを点灯させる点灯制御部と、
前記照明モード指定部による前記照明モードの指定操作とは異なるトリガ条件の成立に伴い、前記室内照明及び前記座席別照明のうち少なくとも１つを、前記照明モード指定部の操作により指定可能な照明モードを再現するデモンストレーションパターンで一定期間点灯させるデモ点灯制御部と、
を備えることを特徴とする車内照明装置。
【請求項３】
前記照明モードは、前記室内照明を前記照明モード指定部で指定した照明色で点灯させる点灯色指定モードを含んでおり、前記デモ点灯制御部は、前記点灯色指定モードにおいて点灯可能な各照明色に前記室内照明の照明色を順次切り替えるデモンストレーションパターンで前記室内照明を一定期間点灯させることを特徴とする請求項１又は２記載の車内照明装置。
【請求項４】
前記照明モードは、前記座席別照明を前記照明モード指定部で指定した明るさで点灯させる点灯明るさ指定モードを含んでおり、前記デモ点灯制御部は、前記点灯明るさ指定モードにおいて点灯可能な各明るさに前記座席別照明の明るさを順次切り替えるデモンストレーションパターンで前記座席別照明を一定期間点灯させることを特徴とする請求項１、２又は３記載の車内照明装置。
【請求項５】
前記トリガ条件は、前記車両の走行停止を含んでいることを特徴とする請求項１、２、３又は４記載の車内照明装置。
【発明の詳細な説明】
【技術分野】
【０００１】
本発明は、車両の室内を照明する車内照明装置に関する。
【背景技術】
【０００２】
車内には、車内を照らす照明が設けられる。車内照明の点灯形態については、インターネットからダウンロード等したプログラムを利用して、インストルメントパネルのコントローラの操作により車内の照明を演出効果を伴った形態で点灯させる提案も行われている（例えば、特許文献１）。
【先行技術文献】
【特許文献】
【０００３】
【特許文献１】特開２００３−３２７０４２号公報
【発明の概要】
【発明が解決しようとする課題】
【０００４】
車内の照明を演出効果を伴った形態で点灯させることは、車両の機能として通常設けられるポピュラーなものではない。したがって、車両の購入者にとって、このようなポピュラーでない照明パターンを、販売店で購入する車両を選ぶ段階で認識できることは、非常に有用である。また、購入した車両の乗員が照明パターンに不慣れな場合にも、それを認識できることは非常に有用である。
【０００５】
本発明は前記事情に鑑みなされたもので、本発明の目的は、車両の乗員や購入検討者等に車内照明の照明モードを容易に認識させることができる車内照明装置を提供することにある。
【課題を解決するための手段】
【０００６】
前記目的を達成するために、請求項１に記載した本発明の車内照明装置は、
車両の室内を照明する車内照明装置において、
前記室内を、色及び明るさが可変な照明光で照明する室内照明と、
前記室内の座席を、点灯色が予め定められており、かつ、明るさが可変な照明光で、座席毎に個別に照明する座席別照明と、
前記座席の乗員の操作により照明モードが指定される照明モード指定部と、
前記照明モード指定部の操作により指定された照明モードで前記室内照明及び前記座席別照明のうちいずれか１つを点灯させる点灯制御部と、
前記照明モード指定部による前記照明モードの指定操作とは異なるトリガ条件の成立に伴い、前記室内照明及び前記座席別照明のうち少なくとも１つを、前記照明モード指定部の操作により指定可能な照明モードを再現するデモンストレーションパターンで一定期間点灯させるデモ点灯制御部と、
を備えることを特徴とする。
また、前記目的を達成するために、請求項２に記載した本発明の車内照明装置は、
車両の室内を照明する車内照明装置において、
前記室内のルーフライナの左右両側にそれぞれ設けられて、前記室内の最前列の座席よりも後方に位置し、前記室内の２列目及び３列目の座席に亘ってそれぞれ延在して、前記室内を照明する室内照明と、
前記室内の座席を座席毎に個別に照明する座席別照明と、
前記座席の乗員の操作により照明モードが指定される照明モード指定部と、
前記照明モード指定部の操作により指定された照明モードで前記室内照明及び前記座席別照明のうちいずれか１つを点灯させる点灯制御部と、
前記照明モード指定部による前記照明モードの指定操作とは異なるトリガ条件の成立に伴い、前記室内照明及び前記座席別照明のうち少なくとも１つを、前記照明モード指定部の操作により指定可能な照明モードを再現するデモンストレーションパターンで一定期間点灯させるデモ点灯制御部と、
を備えることを特徴とする。
【０００７】
請求項１又は請求項２に記載した本発明の車内照明装置によれば、室内照明や座席別照明を照明モード指定部の指定操作によってどのような照明モードで点灯させることができるのかを、車両の乗員や購入検討者等が事前に知っていない場合がある。
【０００８】
このような場合に、照明モード指定部による指定操作とは異なるトリガ条件を成立させて、室内照明や座席別照明をデモンストレーションパターンで一定期間点灯させることで、それらの照明の各照明モードによる点灯形態を車両の乗員や購入検討者等に容易に認識させることができる。
【０００９】
また、請求項３に記載した本発明の車内照明装置は、請求項１又は２に記載した本発明の車内照明装置において、前記照明モードは、前記室内照明を前記照明モード指定部で指定した照明色で点灯させる点灯色指定モードを含んでおり、前記デモ点灯制御部は、前記点灯色指定モードにおいて点灯可能な各照明色に前記室内照明の照明色を順次切り替えるデモンストレーションパターンで前記室内照明を一定期間点灯させることを特徴とする。
【００１０】
請求項３に記載した本発明の車内照明装置によれば、請求項１又は２に記載した本発明の車内照明装置において、トリガ条件を成立させて室内照明をデモンストレーションパターンで一定期間点灯させることで、点灯色指定モードにおいて点灯可能な各照明色で室内照明を順次照明させて、室内照明について指定可能な照明色を車両の乗員や購入検討者等に容易に認識させることができる。
【００１１】
さらに、請求項４に記載した本発明の車内照明装置は、請求項１、２又は３に記載した本発明の車内照明装置において、前記照明モードは、前記座席別照明を前記照明モード指定部で指定した明るさで点灯させる点灯明るさ指定モードを含んでおり、前記デモ点灯制御部は、前記点灯明るさ指定モードにおいて点灯可能な各明るさに前記座席別照明の明るさを順次切り替えるデモンストレーションパターンで前記座席別照明を一定期間点灯させることを特徴とする。
【００１２】
請求項４に記載した本発明の車内照明装置によれば、請求項１、２又は３に記載した本発明の車内照明装置において、トリガ条件を成立させて車内照明をデモンストレーションパターンで一定期間点灯させることで、点灯明るさ指定モードにおいて点灯可能な各明るさで座席別照明を順次照明させて、座席別照明について指定可能な点灯明るさを車両の乗員や購入検討者等に容易に認識させることができる。
【００１３】
また、請求項５に記載した本発明の車内照明装置は、請求項１、２、３又は４に記載した本発明の車内照明装置において、前記トリガ条件は、前記車両の走行停止を含んでいることを特徴とする。
【００１４】
請求項５に記載した本発明の車内照明装置によれば、請求項１、２、３又は４に記載した本発明の車内照明装置において、車両の走行中において、限られた一定期間の間に車内照明の照明色や座席別照明の点灯明るさが頻繁に切り替わると、運転者が安全に運転操作を行う上での支障になる場合がある。
【００１５】
このような場合に、車内照明や座席別照明がデモンストレーションパターンで一定期間点灯するトリガ条件が車両の走行中には成立しないようにすることで、運転者の安全な運転操作に支障が生じない車両の停車時に限って、それらの照明をデモンストレーションパターンで点灯させることができる。
【発明の効果】
【００１６】
本発明によれば、車両の乗員や購入検討者等に車内照明の照明モードを容易に認識させることができる。
【図面の簡単な説明】
【００１７】
【図１】本発明の一実施形態に係る車内照明装置の配置を示す説明図である。
【図２】図１に示す読書灯や天井照明の点灯制御系の概略構成を模式的に示す説明図である。
【図３】図２のコントローラのＣＰＵがＲＯＭに記憶されたプログラムにしたがい実行する図１の読書灯や天井照明の点灯制御の手順を示すフローチャートである。
【発明を実施するための形態】
【００１８】
以下、本発明に係る車内照明装置の実施形態について、図面を参照して説明する。図１は本発明の一実施形態に係る車内照明装置の配置を示す説明図である。
【００１９】
図１に示すように、車両１には、運転席３や助手席５に対応するマップランプ２１，２３が、車内のルーフライナ（図示せず）の前方中央に設けられる。また、運転席３や助手席５よりも後方に位置する車両１の後方車室２（請求項中の室内に相当）には、読書灯２５〜３１（請求項中の座席別照明に相当）や天井照明３３，３５（請求項中の室内照明に相当）が、不図示のルーフライナの左右両側にそれぞれ設けられる。そして、この読書灯２５〜３１や天井照明３３，３５とそれらの点灯制御系によって、本発明の一実施形態に係る車内照明装置が構成される。
【００２０】
各読書灯２５〜３１は、２列目や３列目の座席７，９，１１を照明する（但し、３列目の座席１１は、３人掛けの両端の座席を照明する）。各読書灯２５〜３１は、本実施形態では、予め定められた点灯色で点灯するＬＥＤにより構成されており、発光明るさを変えることができるように構成されている。
【００２１】
各天井照明３３，３５は、不図示のルーフライナの左右両側に沿って直線状に配置された棒状の導光体３３ａ，３５ａと、各導光体３３ａ，３５ａの前後両端から内部に光を入射させる光源３３ｂ，３５ｂとを有している。各光源３３ｂ，３５ｂは、ＲＧＢの３つのＬＥＤチップにより構成されており、点灯色と発光明るさとを変えることができるように構成されている。
【００２２】
図２は、読書灯２５〜３１や天井照明３３，３５の点灯制御系の概略構成を模式的に示す説明図である。図２に示すように、各読書灯２５〜３１は、それぞれの近傍に配置されたスイッチ２５ａ〜３１ａと共に、車両１の天井を中心に配策された車内ＬＡＮ等の信号配線Ｓを介してコントローラ３７に接続されている。天井照明３３，３５の光源３３ｂ，３５ｂも、信号配線Ｓを介してコントローラ３７に接続されている。また、コントローラ３７には、天井照明３３，３５のスイッチ３９ａと色指定スイッチ３９ｂも、信号配線Ｓを介して接続されている。
【００２３】
コントローラ３７は、各読書灯２５〜３１を、対応するスイッチ２５ａ〜３１ａの操作に応じた明るさで発光させる。また、コントローラ３７は、両天井照明３３，３５を、スイッチ３９ａの操作に応じた明るさと色指定スイッチ３９ｂの操作に応じた点灯色で発光させる。さらに、コントローラ３７は、スイッチ３９ａが両天井照明３３，３５を点灯させる場合とは異なる内容で操作された場合に、各読書灯２５〜３１や各天井照明３３，３５をデモンストレーションパターンでデモ点灯させる。
【００２４】
ここで、両天井照明３３，３５を点灯させる場合とは異なる内容のスイッチ３９ａの操作とは、例えば、スイッチ３９ａがオフの位置から天井照明３３，３５の明るさに応じた量だけ回転操作されるものである場合は、オフの位置から逆向きへのスイッチ３９ａの操作とすることができる。
【００２５】
また、デモ点灯時における各読書灯２５〜３１や各天井照明３３，３５のデモンストレーションパターンとは、例えば、まず、天井照明３３，３５の点灯色を一定時間周期（例えば３秒）毎に切り替え、点灯色の切り替えが一通り終わった後に、各読書灯２５〜３１を順に一定時間（例えば３秒）ずつ点灯させ、その後に、全読書灯２５〜３１を、１００％、７５％、５０％、２５％の各明るさで、一定時間（例えば３秒）ずつ順に点灯させて、最後に全読書灯２５〜３１を消灯させる、というパターンとすることができる。
【００２６】
なお、各読書灯２５〜３１を順に点灯させる際に、全読書灯２５〜３１を消灯させるインターバル（例えば１秒）を間に挟んでもよい。同様に、全読書灯２５〜３１の点灯明るさを変える際に、全読書灯２５〜３１を消灯させるインターバル（例えば１秒）を間に挟んでもよい。
【００２７】
上述したコントローラ３７には、不図示の車内ＬＡＮを介して車両１のシフトレンジを示すシフトレンジ信号やイグニッションスイッチ（図示せず）のポジションを示すＩＧＮ信号が、一定周期毎に入力される。これらの信号の代わりに、又は、これらの信号と共に、パーキングブレーキのオンオフを示すパーキングブレーキ信号を入力させてもよい。これらの信号や、上述した読書灯２５〜３１のスイッチ２５ａ〜３１ａ及び天井照明３３，３５のスイッチ３９ａ、色指定スイッチ３９ｂの操作状態に基づいて、コントローラ３７は、読書灯２５〜３１や天井照明３３，３５の点灯を制御する。
【００２８】
そのために、コントローラ３７は、ＣＰＵとＲＡＭ、ＲＯＭ等（いずれも図示せず）を有している。そして、ＣＰＵは、ＲＯＭに格納されたプログラムにしたがい、ＲＡＭをワークエリアとして使用して、各読書灯２５〜３１や天井照明３３，３５の光源３３ｂ，３５ｂの点灯を制御する。
【００２９】
次に、コントローラ３７のＣＰＵがＲＯＭに記憶されたプログラムにしたがい実行する、各読書灯２５〜３１や天井照明３３，３５の光源３３ｂ，３５ｂの点灯制御の手順を、図３のフローチャートを参照して説明する。ＣＰＵは、図３のフローチャートに示す手順の制御を、所定周期毎に繰り返して実行する。
【００３０】
まず、ＣＰＵは、読書灯２５〜３１のいずれかに対応するスイッチ２５ａ〜３１ａがオンであるか否かを確認し（ステップＳ１）、スイッチ２５ａ〜３１ａの全てがオンでない場合は（ステップＳ１でＮＯ）、後述するステップＳ５に移行する。
【００３１】
また、スイッチ２５ａ〜３１ａの少なくとも１つがオンである場合は（ステップＳ１でＹＥＳ）、ＣＰＵは、オンであるスイッチ２５ａ〜３１ａに対応する読書灯２５〜３１を、スイッチ２５ａ〜３１ａの操作状態に対応する明るさで点灯させて（ステップＳ３）、ステップＳ５に移行する。
【００３２】
ステップＳ５では、ＣＰＵは、天井照明３３，３５のスイッチ３９ａがオンであるか否かを確認し、オンでない場合は（ステップＳ５でＮＯ）、後述するステップＳ９に移行する。
【００３３】
また、スイッチ３９ａがオンである場合は（ステップＳ５でＹＥＳ）、ＣＰＵは、スイッチ３９ａの操作状態に対応する明るさと、色指定スイッチ３９ｂの操作状態に対応する点灯色で、光源３３ｂ，３５ｂを発光させて両天井照明３３，３５を点灯させた後（ステップＳ７）、ステップＳ９に移行する。
【００３４】
ステップＳ９では、ＣＰＵは、天井照明３３，３５のスイッチ３９ａが、両天井照明３３，３５を点灯させる場合とは異なる内容で操作されているか否かを確認し、操作されていない場合は（ステップＳ９でＮＯ）、一連の処理を終了する。
【００３５】
また、天井照明３３，３５のスイッチ３９ａが、両天井照明３３，３５を点灯させる場合とは異なる内容で操作されている場合は（ステップＳ９でＹＥＳ）、ＣＰＵは、シフトレンジ信号やＩＧＮ信号等の内容から、車両１が走行中であるか停車中であるかを確認する（ステップＳ１１）。
【００３６】
車両１が走行中である場合は（ステップＳ１１でＹＥＳ）、一連の処理を終了し、停車中である場合は（ステップＳ１１でＮＯ）、読書灯２５〜３１や天井照明３３，３５をデモンストレーションパターンにより一定期間デモ点灯させた後（ステップＳ１３）、一連の処理を終了する。
【００３７】
以上の説明からも明らかなように、本実施形態では、読書灯２５〜３１に対応するスイッチ２５ａ〜３１ａや、天井照明３３，３５のスイッチ３９ａ及び色指定スイッチ３９ｂが、請求項中における照明モード指示部に相当している。
【００３８】
また、本実施形態では、コントローラ３７のＣＰＵが行う図３のフローチャートのステップＳ３やステップＳ７の手順が、請求項中の点灯制御部に対応する手順となっている。さらに、本実施形態では、コントローラ３７のＣＰＵが行う図３のステップＳ１３の手順が、請求項中のデモ点灯制御部に対応する手順となっている。
【００３９】
以上に説明したように、本実施形態では、車両１の停車中に、天井照明３３，３５のスイッチ３９ａが、両天井照明３３，３５を点灯させる場合とは異なる内容で操作されると、読書灯２５〜３１や天井照明３３，３５がデモンストレーションパターンによりデモ点灯される構成とした。
【００４０】
このため、読書灯２５〜３１や天井照明３３，３５の点灯明るさを変えることができることや、天井照明３３，３５の点灯色を変えることができるという照明パターンを、車両１を購入する前にディーラーで検討する顧客や車両１の乗員が事前に知らなくても、その照明パターンが存在することを容易に認識させることができる。
【００４１】
なお、本実施形態では、デモンストレーションパターンによるデモ点灯の対象を、読書灯２５〜３１及び天井照明３３，３５としたが、そのどちらか一方としてもよい。あるいは、運転席３や助手席５のマップランプ２１，２３をデモ点灯の対象に含め、車両１の後方車室２だけでなく運転席３や助手席５を含む室内の照明装置に本発明を適用してもよい。
【００４２】
この場合、デモ点灯の対象となる照明の照明モード（点灯明るさや点灯色）を指定する際に操作される操作部を、請求項中の照明モード指定部として用いることができる。したがって、照明モード指定部の配置は、後方車室２に限らず車両１の室内の何れの箇所でもよい。
【産業上の利用可能性】
【００４３】
本発明は、車両の室内を照明する車内照明装置の室内照明にポピュラーでない照明パターンが存在する場合に用いて極めて有用である。
【符号の説明】
【００４４】
１  車両
２  後方車室（室内）
３  運転席
５  助手席
７，９，１１  座席
２１，２３  マップランプ
２５〜３１  読書灯（座席別照明）
２５ａ〜３１ａ，３９ａ  スイッチ
３３，３５  天井照明（室内照明）
３３ａ，３５ａ  導光体
３３ｂ，３５ｂ  光源
３７  コントローラ
３９ｂ  色指定スイッチ（照明モード指示部）
Ｓ  信号配線
【図１】
0006502700.tif 000002
【図２】
0006502700.tif 000003
【図３】
0006502700.tif 000004